(57)【特許請求の範囲】
【請求項１】
ネット材の四周の端部に沿って、多数の係合用の膨出部片を有するテープを取り付けたネットと、
上記ネットの四周の各辺の上記膨出部片をスリットの内側への係合により保持するための該スリットを長手方向に沿って備えると共に、弾性的な拡開傾向を有する係合突条を同長手方向に沿って備え、網戸を設置したい部位に配設される外レールの取付溝に押入したとき上記係合突条が該外レールに係止するように形成された中レールであって、ネットの四周に取り付けられるもののうちの少なくとも一つが中間において分割されているところの該中レールと、
上記中レールを取付溝に押入したときに上記係合突条が係止する係止部を該取付溝内に備えた上記外レールと、
を有していることを特徴とする組立網戸。
【請求項２】
上記ネットにおける一対の対向辺に取り付ける中レールを、それぞれ二つに分割されたものとしている、
ことを特徴とする請求項１に記載の組立網戸。
【請求項３】
上記中レールの係合突条と該係合突条が係止する上記外レールの係止部との一方または双方を平行に配置された複数にし、取付溝への中レールの押入によるそれらの係止位置を調整可能にした、
ことを特徴とする請求項１または２に記載の組立網戸。
【請求項４】
上記外レールにおける係止部の一部に、中レールの取り外しに際して該中レールの係合突条をその弾性的な拡開傾向に抗して上記外レールの係止部から離脱させるに必要な工具挿入用の切り欠きを設けている、
ことを特徴とする請求項１〜３のいずれかに記載の組立網戸。
【請求項５】
外レールにおける中レールの取付溝が、中レールをネットの張設面に対して直角に向けて押入する向きに形成されている、
ことを特徴とする請求項１〜４のいずれかに記載の組立網戸。
【請求項６】
外レールが建物開口部に設置されるサッシ枠の一部に形成されている、
ことを特徴とする請求項１〜５のいずれかに記載の組立網戸。
【請求項７】
ネット材の四周の端部に沿って、多数の係合用の膨出部片を有するテープを取り付けたネットと、
上記ネットの四周の各辺の上記膨出部片をスリットの内側への係合により保持するための該スリットを長手方向に沿って備えると共に、弾性的な拡開傾向を有する係合突条を同長手方向に沿って備え、網戸を設置したい部位に配設される外レールの取付溝に押入したとき上記係合突条が該外レールに係止するように形成された中レールと、
上記中レールを取付溝に押入したときに上記係合突条が係止する係止部を該取付溝内に備えた上記外レールと、
を有する組立網戸の組立方法であって、
上記外レールの取付溝に押入係止させる中レールのうち、少なくとも最後に外レールに押入係止させる中レールを中間において分割されたものとし、
組立に際しては、まず、ネットの周囲の膨出部片に取り付けた分割していない中レールを、それぞれ外レールの取付溝に押入係止させ、
分割された中レールを取り付けるネットの周辺の膨出部片には、その両端側に位置する辺の中レールを外レールの取付溝に押入係止させる前に、分割された中レールを取り付けておき、
上記分割された中レールの各隣接辺側の端部を、その両端側に位置する中レールと共に、外レールの取付溝に押入係止させ、その後に分割された中レールの中央側を外レールに押入係止させる、
ことを特徴とする組立網戸の組立方法。
【発明の詳細な説明】
【技術分野】
【０００１】
本発明は、建物開口部等における網戸を設置したい部位に、該部位に適合するように組み立てながら設置するのに適した組立網戸及びその組立方法に関するものである。
【背景技術】
【０００２】
既設の建物開口部等に網戸を設置したい場合、通常は、その設置部位に適合する大きさに組み立てられた枠付き網戸を用意し、その網戸枠を取付用アングルその他の取付具を用いて所要の位置に固定するという手段が採用される。この場合には、予め用意した枠付きの網戸を用いるため、その設置自体は比較的簡単に行うことができるが、予め組み立てられた平面的に大きい枠付き網戸をその設置場所まで搬送する必要があり、また、ネットの交換の必要が生じたときには、本来枠付き網戸として用意したものであるため、ネットのみを入手して交換するのも困難であり、そのため再度枠付き網戸を取り外して製造元まで搬送して修理するか、新しいものと交換するなど、比較的面倒で大掛かりな作業を強いられることになる。また、上記枠付き網戸を取付用アングル等で固定する場合、建物開口部の内周に上記取付用アングル及び枠付き網戸の周囲の網戸枠が配設されるため、それだけ窓の開口部からの視界が狭くなって、開放感が損なわれることになる。
【０００３】
このような問題は、特許文献１，２等において開示されているように、障子の室内側にネットを後付けでも直接的に取り付け可能な構成にすることにより解消できる。上記特許文献１に開示されているサッシは、両側端に膨突部３２を設けたネットを、その膨突部３２に被着するアタッチメント３１をサッシの取付溝４１に押し込んで固定するものであるが、ネットの左右側端のみを上記アタッチメントで取り付け、ネットの上下端は上下枠の突条に当接させているに過ぎない。これは、特許文献２に記載のものからも明らかなように、上記ネットの左右だけでなく上下も同様にして取り付けるのは、作業性において問題があるからである。
【０００４】
特許文献２を参照して上記作業性について説明すると、該特許文献２に記載のスクリーン張設機構においては、スクリーンの四周に取り付けた膨出部４の固定を、サッシにおける縦のスクリーン取付部１Ａにおいては、該膨出部４を係合溝１５に係止させた溝蓋１２を取付溝７に係合させる第１の固定手段によって行い、横のスクリーン取付部１Ｂにおいては、取付溝８の口縁８ａと該取付溝８に施蓋する溝蓋２２との間に上記膨出部４を係止させて該溝蓋２２を取付溝８の口縁８ａに係止させる第２の固定手段を用いている。
【０００５】
これは、縦横の両スクリーン取付部において上記第１の固定手段を用いるとすると、例えば、一対の縦のスクリーン取付部１Ａに対して膨出部４を係合溝１５に係止させた溝蓋１２を係合させて、該縦のスクリーン取付部に対するスクリーンの取り付けを完了した段階で、横のスクリーン取付部１Ｂに取り付けるべきスクリーンの端部の溝蓋１２が、縦のスクリーン取付部１Ａに取り付けた溝蓋１２と相互に干渉するので、それを避ける必要があるからである。つまり、縦のスクリーン取付部１Ａに対するスクリーンの取り付けを完了した段階では、横のスクリーン取付部１Ｂに取り付けるべきスクリーンの端部の膨出部４が、該スクリーン取付部１Ｂの取付溝内に位置することになるため、該スクリーンの端部に溝蓋１２を予め取り付けておくことができず、また、溝蓋１２をスクリーンの端部に予め取り付けておかないとこの時点での溝蓋１２の取り付けは困難であり、そのため、縦横のスクリーン取付部１Ａ，１Ｂに対して一挙に溝蓋１２を取り付けるなどの困難な作業が必要になるからである。
【０００６】
これに対し、縦横のスクリーン取付部において膨出部４の固定手段を特許文献２のように別異のものにすると、第１の固定手段の溝蓋１２は予め係合溝１５にスクリーン３の膨出部４を挿入しておいてから溝蓋１２を取付溝７に係合させるのに適しているのに対し、第２の固定手段では、溝材６における取付溝８の口縁８ａにスクリーンの膨出部４を保持した状態で溝蓋２２を閉じて、スクリーン３の膨出部４の固定を別の段階の操作として行えるので、スクリーンの取付作業が簡便化される。但し、上記第１及び第２の二つの固定手段を用いる必要があり、構成を必ずしも単純化することができない。
【先行技術文献】
【特許文献】
【０００７】
【特許文献１】特開２００８−２５３４０号公報
【特許文献２】特開２０１０−７０９７７号公報
【発明の概要】
【発明が解決しようとする課題】
【０００８】
本発明の技術的課題は、建物開口部等における網戸を設置したい部位に適合するように組み立てながら設置できるようにした網戸を、ネットの四周について同じ部材を用いながらも、そのネットの設置や、メンテナンス等のためのネットの取り外しを容易に実施できるようにした組立網戸及びその組立方法を提供することにある。
【課題を解決するための手段】
【０００９】
上記課題を解決するため、本発明によれば、ネット材の四周の端部に沿って、多数の係合用の膨出部片を有するテープを取り付けたネットと、上記ネットの四周の各辺の上記膨出部片をスリットの内側への係合により保持するための該スリットを長手方向に沿って備えると共に、弾性的な拡開傾向を有する係合突条を同長手方向に沿って備え、網戸を設置したい部位に配設される外レールの取付溝に押入したとき上記係合突条が該外レールに係止するように形成された中レールであって、ネットの四周に取り付けられるもののうちの少なくとも一つが中間において分割されているところの該中レールと、上記中レールを取付溝に押入したときに上記係合突条が係止する係止部を該取付溝内に備えた上記外レールとを有していることを特徴とする組立網戸が提供される。
【００１０】
本発明に係る組立網戸の好ましい実施形態においては、上記ネットにおける一対の対向辺に取り付ける中レールを、それぞれ二つに分割されたものとして構成し、また、上記中レールの係合突条と該係合突条が係止する上記外レールの係止部との一方または双方を平行に配置された複数にし、取付溝への中レールの押入によるそれらの係止位置を調整可能なものとして構成することが望まれる。
【００１１】
更に、本発明の好ましい実施形態においては、上記外レールにおける係止部の一部に、中レールの取り外しに際して該中レールの係合突条をその弾性的な拡開傾向に抗して上記外レールの係止部から離脱させるに必要な工具挿入用の切り欠きを設け、また、外レールにおける中レールの取付溝が、中レールをネットの張設面に対して直角に向けて押入する向きに形成されているものとしたり、外レールが建物開口部に設置されるサッシ枠の一部に形成されているものとすることもできる。
【００１２】
また、上記課題を解決するため、本発明によれば、ネット材の四周の端部に沿って、多数の係合用の膨出部片を有するテープを取り付けたネットと、上記ネットの四周の各辺の上記膨出部片をスリットの内側への係合により保持するための該スリットを長手方向に沿って備えると共に、弾性的な拡開傾向を有する係合突条を同長手方向に沿って備え、網戸を設置したい部位に配設される外レールの取付溝に押入したとき上記係合突条が該外レールに係止するように形成された中レールと、上記中レールを取付溝に押入したときに上記係合突条が係止する係止部を該取付溝内に備えた上記外レールとを有する組立網戸の組立方法であって、上記外レールの取付溝に押入係止させる中レールのうち、少なくとも最後に外レールに押入係止させる中レールを中間において分割されたものとし、組立に際しては、まず、ネットの周囲の膨出部片に取り付けた分割していない中レールを、それぞれ外レールの取付溝に押入係止させ、分割された中レールを取り付けるネットの周辺の膨出部片には、その両端側に位置する辺の中レールを外レールの取付溝に押入係止させる前に、分割された中レールを取り付けておき、上記分割された中レールの各隣接辺側の端部を、その両端側に位置する中レールと共に、外レールの取付溝に押入係止させ、その後に分割された中レールの中央側を外レールに押入係止させることを特徴とする組立網戸の組立方法が提供される。
【００１３】
上記構成を有する組立網戸を設置するには、例えば、まず、ネットの四周のうちで対向する２辺または隣接する３辺の各端部に設けた多数の係合用の膨出部片を、それぞれ中レールのスリットの内側への係合により該中レールに保持させ、それらの中レールをそれぞれ対向または隣接する外レールの取付溝に押入係止させ、あるいはそれに近い状態に保持する。この作業の段階では、押入係止させる中レールが相互に格別干渉することはなく、容易にそれらの中レールの外レール取付溝に対する押入を開始することができる。なお、中レールの係合突条には弾性的な拡開傾向を持たせているので、上記押入に支障を来すことはない。
【００１４】
この状態でネットの残る２辺または１辺に、先に用いたのと同様な中レールを取り付けることは、隣接中レールが相互に干渉するために困難であり、そのため、この場合には、上記２または３辺の中レールを外レールに押入係止させるに先立ち、予めそれらの残る辺にも中レールを取り付けておくことになるが、隣接する中レール相互の干渉等を避けるために、この段階でネットの膨出部片に取り付ける中レールは、上述した中レールと同じ断面形状のものを予め中間において分割したものとし、しかも、それでも中レール相互の若干の干渉があるようであれば、必要最小限で分割した中レールを更に短くしておくことになる。
【００１５】
このように、取り付けを行うネットの端部の膨出部片を、分割した中レールのスリットの内側へ係合させて、該分割した中レールに保持させておくと、該分割した中レールの外レールに対する押入係止は、図６〜図８を参照して後述するように、分割した中レールをそれらの両端部側から取付溝に対して斜めにして押入することになり、これによりネットの全周を外レールに保持させることができる。
【００１６】
そして、この段階で工具等を利用して中レールを外レールの奥深くに押し込み、ネットが適当な張設状態になるように、互いに係止する中レールの係合突条と外レールの係止部とを選択することにより、ネットを緊張させることができる。
なお、ここではネットの四周の中レールを外レールに押入係止させる例を説明しているのであって、該押入係止は上記手順に限るものではない。
また、外レール内に張設した上記ネットを取り外すときには、外レールにおける係止部の一部に設けた工具挿入用の切り欠きに工具を挿入して、中レールの係合突条をその弾性的な拡開傾向に抗して上記外レールの係止部から離脱させ、上述したネットの張設とほぼ逆の工程で順次中レールを外レールから離脱させればよい。
【発明の効果】
【００１７】
以上に詳述した本発明の組立網戸及びその組立方法によれば、建物開口部等における網戸を設置したい部位に適合するように組み立てながら設置できるようにした網戸を、ネットの四周について同じ部材を用いて構成を簡単にしながら、その設置は勿論、メンテナンス等のためのネットの取り外しも容易に行うことができる。
【図面の簡単な説明】
【００１８】
【図１】本発明に係る組立網戸に張設するネットの正面図である。
【図２】上記ネットの四周に中レールを取り付けた状態の正面図である。
【図３】図２のネット及びそれに取り付けた中レールのＡ−Ａ断面図である。
【図４】図３のネット及び左右の中レールを外レールに押入係止させた状態の断面図である。
【図５】図４の中レールをネットが緊張するまで外レールに押入係止させた状態を示す断面図である。
【図６】中レールを外レールに押入係止させる手順の一例を説明するための説明図である。
【図７】同説明図である。
【図８】中レールを外レールに押入係止させる手順の他の一例を説明するための説明図である。
【図９】中レールを外レールから離脱させる操作について説明するための要部断面図である。
【図１０】同要部破断斜視図である。
【図１１】外レールの他の構成例を示す正面図である。
【図１２】同断面図である。
【発明を実施するための形態】
【００１９】
図１〜図１０は、本発明に係る組立網戸の実施の一例を示している。この組立網戸は、建物開口部における窓用サッシの内側等で網戸を設置したい部位に適合するように組み立てて設置するのに適し、そのため、後付けの網戸としても適し、ネット１を上記網戸の設置部位の大きさに合わせて張設可能にしたものである。また、この組立網戸は、ネット１が長期にわたる使用その他により汚れたり破損したときには、該ネット１の清掃等のメンテナンスや交換を容易に行うことができるものである。
【００２０】
この組立網戸において用いる上記ネット１は、図１に示すように、ネット材２の四周の端部に沿って多数の係合用の膨出部片３ａを有するテープ３を取り付けたものである。該膨出部片３ａを取り付けたテープ３としては、布等の端部の接合に用いているファスナーの半体を利用するのが望ましい。該テープ３のネット材２の端部に対する取り付けには、各種溶着、接着、縫着等の手段を用いることができる。建物開口部等の網戸を設置したい部位にネット１を張設する場合には、設置作業者が該部位の寸法に適合するように切断したネット材２を用いて、上記テープ３を該ネット材２に上記各種手段で取り付けることになり、そのため、組立網戸の製造販売者からは、一般的に多用される規格的な寸法に設定してネット材２にテープ３を取り付けたもの、あるいは寸法的に余裕のあるネット材２とそれに取り付け可能な上記テープ３とを設置作業者に提供すれば、該作業者において各種寸法に対応させることができる。
【００２１】
上記ネット１は、以下に詳述するように、その四周の各辺が中レール５及びそれを中間において分割した短寸の中レール５ａを介して、外レール１１に取り付けられるものである。
上記中レール５，５ａは、弾性ある合成樹脂により、一定の断面形状で上記ネット１の端部をテープ３と共に挟み込む深溝状の長尺の部材として構成され、図４及び図５に明瞭に示すように、その内部に、該部材の長手方向に沿うスリット６、及び該スリット６の内側への上記膨出部片３ａの係合により該膨出部片３ａを保持する保持溝７を備えると共に、それらより口部側に延びる一対の対向壁８，９の一方、つまり該中レール５，５ａを外レール１１に押入係止させるときに外レール１１の表面側に位置させる対向壁８に、該対向壁８の弾性により弾性的な拡開傾向を持たせた二つの上記長手方向に沿う係合突条１０を備えている。
【００２２】
建物開口部における網戸を設置したい部位に配設される上記外レール１１は、上記中レール５がその保持溝７側から押入される取付溝１２を備え、該取付溝１２の内壁に、上記中レール５を該取付溝１２に押入したときに該中レール５の係合突条１０が係止する係止部１３を備えたものである。図示した実施例における上記外レール１１は、図４及び図５等に示すように、建物開口部の任意位置に取付ねじ１４で固定できるように構成しているが、建物開口部に設置されるサッシ枠の一部に、該サッシ枠と一体のものとして、該取付溝１２を有する外レール１１が形成されたものとすることもできる。
【００２３】
更に、図示した実施例においては、上記中レール５に二つの係合突条１０を設けると共に、上記外レール１１には該係合突条１０が係止する一つの係止部１３を設け、図４または図５に示すように、上記二つの係合突条１０のいずれかを外レール１１の係止部１３に係止させるかによって、ネット１に適切な張力を付与するようにしているが、それに限らず、上記係合突条１０及び係止部１３の一方または双方を平行に配置された複数のものとし、外レール１１の取付溝１２への中レール５の押入によるそれらの係止位置を多段に調整可能にすることができる。
【００２４】
また、上記外レール１１の係止部１３に中レール５の係合突条１０を係止させた状態において、ネット１の交換等のために中レール５を取り外す必要が生じた場合、図４に示すように、中レール５の対向壁８における開口端側の係合突条１０が外レール１１の係止部１３よりも外側にあるときには、図９に示すように、ドライバー等の工具１６により、中レール５の係合突条１０を対向壁８の弾性的な拡開傾向に抗して係止部１３押し上げ、該係合突条１０を上記外レール１１の係止部１３から離脱させればよく、それにより中レール５を外レール１１から取り外すことができる。
【００２５】
しかしながら、図５に示すように、外レール１１の係止部１３が中レール５の対向壁８に設けた係合突条１０の外側にある場合には、それが上述した中レール５の取り外しの障害になるので、図１０に示すように、外レール１１における係止部１３の一部に、中レール５の取り外しに際して、該中レール５の係合突条１０の押し上げを容易にするための工具挿入用の切り欠き１３ａを設けている。従って、同図に示すように、該切り欠き１３ａを通して工具１６を対向壁８の係合突条１０の下に押入し、対向壁８の弾性的な拡開傾向に抗して係合突条１０を上記外レール１１の係止部１３よりも押し上げることにより、容易に中レール５を離脱させることができる。
【００２６】
図６〜図８からわかるように、上記中レールは、ネット１の四周の膨出部片３ａに取り付けられる中レールのうちの少なくとも一つを、中間において分割された短寸の中レール５ａとしている。図６及び図７に示すように、ネット１における一対の対向辺に取り付ける中レールをそれぞれ二つに分割した短寸の中レール５ａとする場合は、以下に詳述するように、比較的ネット１の張設の作業性がよいが、図８に示すように単一の中レールのみを分割しても、隣接する中レール５，５ａの干渉を避けてネット１を張設することができる。なお、３本以上の中レール５をそれぞれ中央で分割しても差し支えない。
【００２７】
次に、上述した組立網戸の組立方法例について説明する。
まず、張設しようとするネット１が、所要の寸法のネット材２に膨出部片３ａを有するテープ３が取り付けられたものとして準備されている場合にはそれを用い、それが準備されていない場合には、所要の寸法に切断したネット材２の四周の端部に、膨出部片３ａを有するテープ３を溶着、接着、縫着等の手段を用いて取り付け、網戸を設置しようとする部位の寸法に適合させたネット１を得る。
【００２８】
上記組立網戸は、図６及び図７に示すような手順で組み立てることができ、この場合には、まず、ネット１の四周のうちで対向する２辺の端部に設けた多数の係合用の膨出部片３ａをそれぞれ中レール５のスリット６の内側への係合により該中レール５に保持させ、それらの中レール５をそれぞれ対向する外レール１１の取付溝１２に押入係止させるが、この押入係止前の時点で、ネット１の四周のうちで残る対向２辺の膨出部片３ａに、予め、それぞれ二つの短寸の中レール５ａに保持させておく。なお、この短寸の中レール５ａは、組立の更なる進行時点でネット１の残る対向２辺の膨出部片３ａに取り付け可能であればその時点でも差し支えない。
【００２９】
そして、図６に示すように、分割していない一対の中レール５の保持溝７側を、順次外レール１１の取付溝１２に臨ませ、その際に、短寸の中レール５ａはそれらの対向壁８，９を上記外レール１１に臨ませている一対の中レール５の対向壁８，９に対面する方向に向けて、中レール５に隣接する端部を外レール１１に押入した状態とし、この状態で外レール１１の取付溝１２に臨ませている一対の中レール５の間の間隔を広げて対向する外レール１１に押入しながら、短寸の中レール５ａもそれぞれ両側の中レール５に近接している端部を中心に回転させて外レール１１内に押入し、図６の状態を経て図７の状態までそれぞれの中レール５ａを外レール１１に押入係止させる。
【００３０】
この時点では、ネット１が緊張状態にあるとは限らず、そのため、最終的には、図７に示すように、工具１６を用いてネット１が緊張状態になるように中レール５ａを押入し、上記複数の係合突条１０及び係止部１３のいずれかを係止させることにより、それらの係止位置を調整し、ネット１を必要な緊張状態に張設する。
【００３１】
これらの作業の段階では、隣接する二つの中レール５，５ａが相互に格別干渉することはなく、容易にそれらの中レールを外レール１１の取付溝１２に押入し、中レール５，５ａの係合突条１０を外レール１１の係止部１３に係止させることができる。なお、中レールの係合突条１０には弾性的な拡開傾向を持たせているので、外レール１１に対する中レールの押入も容易に行うことができる。なお、隣接する中レール５，５ａ相互の干渉を避けられない場合には、必要最小限で中レールを短くすればよく、ネット１の四周で部分的に中レールの存在しない部分があっても、ネットの張設に支障を来すことはない。
【００３２】
図６及び図７においては、中間において分割した短寸の中レール５ａをネット１の対向する２辺において用いる場合を示しているが、該中レール５ａは、取付溝１２に押入係止される中レールのうち、少なくとも最後に外レール１１に押入係止させるものだけにすることもできる。即ち、図８に示すように、ネット１の周囲の３辺の膨出部片３ａに分割していない中レール５を取り付けると共に、残る１辺に分割された中レール５ａを取り付けて、分割していない三つの中レール５の真ん中のものを外レール１１の取付溝１２に押入すると共に、その両端に端部が隣接している中レール５を、図８に示すように傾斜させた状態でその端部を外レール１１の取付溝１２に押入し、ついで、上記分割された中レール５ａの各隣接辺側の端部を、その両端側に位置する中レール５と共に、外レール１１の取付溝１２に押入係止させ、その後に分割された中レール５ａの中央側を外レール１１に押入係止させることにより、網戸の張設を完了することができる。
【００３３】
なお、ネット１が緊張状態になるように中レール５，５ａを押入して、複数の係合突条１０及び係止部１３の係止位置を調整するのは、先に図７に関連して説明したところと同様である。
上記図６〜図８の例では、特に中レール５，５ａ及び外レール１１の巾を他部に対して拡大して図示しているので、中レール５，５ａが短寸化して示されているが、実際の製品においては分割された中レール５ａ間等に特に大きな隙間ができるようなことはない。
【００３４】
上記実施例では、外レール１１における中レール５，５ａの取付溝１２が、中レールをネット１の張設面内において四周の外側に向けて拡げる向きに押入するように形成されているが、図１１及び図１２に示すように、外レール１１が、中レール５，５ａをネット１の張設面に対して直角に向けて押入する向きに形成されたものとすることもでき、これによりネット１を取り付けた建物開口部の開口面積を可及的に大きくすることができる。
【００３５】
この実施例の場合には、ネット１の四周における中レールを一挙に外レール１１に押入係止させれば、必ずしも一部の中レールを中間で分割しなくても、各中レールを外レール１１に押入することができるが、上記中レールの分割により各中レールを順次外レールに押入するのが容易になる。
なお、図１１及び図１２の実施例における上記以外の構成及び作用は、前述した図１〜図１０の実施例の場合と実質的に相違するところがないので、図中の同一または相当部分に同一の符号を付してそれらの説明を省略する。
【符号の説明】
【００３６】
１    ネット
２    ネット材
３    テープ
３ａ  膨出部片
５，５ａ  中レール
６    スリット
１０    係合突条
１１    外レール
１２    取付溝
１３    係止部
１３ａ  切り欠き
【図１】
0005705604.tif 000002
【図２】
0005705604.tif 000003
【図３】
0005705604.tif 000004
【図４】
0005705604.tif 000005
【図５】
0005705604.tif 000006
【図６】
0005705604.tif 000007
【図７】
0005705604.tif 000008
【図８】
0005705604.tif 000009
【図９】
0005705604.tif 000010
【図１０】
0005705604.tif 000011
【図１１】
0005705604.tif 000012
【図１２】
0005705604.tif 000013